(57)【要約】【課題】温泉、プール、公衆浴場、家庭湯などの湯質改善を簡単に行え、繰り返し使用できる磁気イオン入浴器を創作することである。【解決手段】浮き型又は深水型の入浴器表面に磁石を複数個配置し、湯浴中の湯動を利用してファラデーの法則を成り立たせ、電磁誘導により浴湯中のイオンの活性化が起こり、さらに光触媒作用などによる湯質の改善ができ、さらに芳香木質材等の使用や芳香材を入浴器内部に詰めおき徐々に放出させリラックス効果を持たせて繰り返し利用できる磁気イオン入浴器を創作することである。 【選択図】図２
0003138438.tif 000002
【実用新案登録請求の範囲】
【請求項１】
湯浴水面に本考案の入浴器をフロートさせたり、湯の出入り口や浴槽壁に入浴器を配置し、湯動を利用してファラデーの法則を成立させることにより湯質を改善し、入浴による癒しや健康増進ができることを特徴とする磁気イオン入浴器。
【請求項２】
請求項１に記載の円板型、球状型、球状連結型や多角形型等のフロートタイプ入浴器表面に磁石を適宜配置し、湯浴水と接触させ、入浴時の湯動、又はジェットバスや泡発生器等による湯動を利用して湯水と磁場の接触部でファラデーの法則とフレミングの法則が成立し、電磁誘導により微弱誘導起電力が発生し、微弱誘導電流が流れ、浴湯中のイオン移動及びイオンの活性化が起こり、又マイナスイオンが増加すること、及び循環型公衆浴場などの繰り返し使用の循環湯や溜め置き湯のぬめり防止、腐りの防止、浴槽壁の汚れ防止、ボイラー内の汚れと酸化防止、湯質の劣化防止、浴湯水の小クラスター化が起こることを特徴とする磁気イオン入浴器。
【請求項３】
請求項１及び請求項２記載内容に加えて桧などの芳香性木材等のフロート円板の垂直中心に木質等の軸を貫通して挿入し、一例として所謂駒形の木質等の軸の片端又は両端に穴を設け芳香剤を注入し栓封して木質内より徐々に芳香成分が滲み出しリラックス感を起こさせる磁気イオン入浴器。
【請求項４】
請求項１、２及び請求項３記載に加えてフロート式入浴器表面に光触媒剤をコーティングし、浴湯にフロートした入浴器に照明等の光照射により光触媒作用が起り、温泉や公衆浴場、プール等の入浴者から湯中へ移動し湯水中で繁殖する菌や温泉湯中のレジオネラ菌などの殺菌や除菌ができることを特徴とする磁気イオン入浴器。
【請求項５】
請求項１、２、３及び請求項４に加えてフェライトや希土類等の球形等の立体型磁石材の表面に光触媒をコーティングした光触媒磁石の集団を浴槽の出入り口に装着してなる磁気イオン入浴器。        
【請求項６】
風呂釜の湯の出入り口、温泉、公衆浴場やプール等の湯の出入り口パイプ内に磁石を配置してファラデーの法則を成立させ、湯質改善を行うことを特徴とする磁気イオン入浴器。
【考案の詳細な説明】
【技術分野】
【０００１】
本考案は、温泉、家庭湯、公衆浴場、プール等の湯浴動面にフロートさせるか、湯の出入り口に入浴器を配置して湯質を改善することができる磁気イオン入浴器に関するものである。
【背景技術】
【０００２】
入浴者の嗜好に合わせた選択性の入浴剤が一般的に出回っており、これらの入浴剤を浴槽内の湯に投入し好み湯質と香りを楽しむものが従来から多く利用されてきている。
【０００３】
公衆浴場、温泉や家庭風呂に動力源を用いたジェットバスや気泡バスが開発され利用されてきているが、ここで提案しているような入浴器の併用型のものもない。
【０００４】
入浴器には、セラミックス粒体のような遠赤外線放射体を投入した入浴器具を浮遊するもの及び駕籠に発砲入浴剤を入れた玩具浮きが考案されている。
【０００５】
以上の通り本考案のような湯浴動を利用したフロートタイプの入浴器において、誘導起電力型で光触媒機能を有し、しかも芳香木材等を利用し、又は詰め替え式芳香機能も兼ね備え、遊び心を取り入れた入浴器はないことが判明した。
【特許文献１】特開２００３−１０３０６４号公報
【特許文献２】特開平７−１００１７９号公報
【考案の開示】
【考案が解決しようとする課題】
【０００６】
解決しょうとする問題点は、従来の入浴剤では湯浴に投入し溶解するので、皮膚の弱い人及びアレルギー体質等の人には使えなかった。又循環湯場ではボイラーを傷めることがあるので、これを解決させるために、シンプルなもので簡単に繰り返し使用できる入浴器を開発することである。
【課題を解決するための手段】
【０００７】
本考案は、浴湯中に配置又は浴湯水面にフロートさせて、簡便で繰り返し使用でき、しかも湯質改善ができる入浴器を開発するために、円板型、球状型、球状連結型や多角形状型等のフロートタイプ又は浴中タイプの入浴器表面に磁石を適宜配置し、湯浴水と接触させ、入浴時の湯動、又はジェットバスや泡発生器等による湯動を利用して湯水と磁場の接触部でファラーデーの法則が成立してなる磁気イオン入浴器を創作することである。
【考案の効果】
【０００８】
本考案の磁気イオン入浴器は浴湯中において磁場と湯動によりファラーデーの法則が成立するので、浴湯中のイオンの活性化が起こり、又マイナスイオンが増加すること、及び循環型公衆浴場などの繰り返し使用の循環湯や溜め置き湯のぬめり防止、腐りの防止、浴槽壁の汚れ防止、ボイラー内の汚れと酸化防止、湯質の劣化防止、浴湯水の小クラスター化などの浴湯改善及び芳香並びに光触媒作用効果をもたらす。
【考案を実施するための最良の形態】
【０００９】
浮き型又は深水型の入浴器表面に磁石を適宜配置し、湯浴中の湯動を利用してファラデーの法則を成り立たせ、誘導起電力により浴湯中のイオンの活性化が起こり、さらに光触媒作用などによる湯質の改善ができ、繰り返し利用できる磁気イオン入浴器の創作ができた。
【実施例１】
【００１０】
図１は、円盤型フロートタイプの入浴器の横断面図であり、図２は、縦断面図を示す。図１は、図２のＢ−Ｂ断面であり、図２は、図１のＡ−Ａ断面であって、芳香木質材等の水に浮く円板１に垂直に貫通して軸２を設け、その先端に穴を設け、その中に芳香剤５を封入し、栓４をして閉じ込め、浴湯面に浮かべ木質軸より徐々に滲みだし芳香効果を得る。磁石３を円板１の円周面上又は円板面上に複数個埋設してなる磁気イオン入浴器の一実施例を示す。
【００１１】
図３は、図１、２に示したフロートタイプの入浴器を浴湯の湯動水面に浮遊させた状態を示しており、湯中において磁石３の磁束Ｂ又はＢ′、湯動Ｍ又はＭ′により電流Ｉ又はＩ′が発生する。所謂誘導起電力が発生する。すなわちファラデーの法則、フレミングの法則が成立することになる。このとき磁場近傍で、誘導起電力場において電子によるイオンキャリヤーとしての役目を果たし、イオンの活性化が起こる。
【００１２】
又図３において、このフロートタイプ入浴器の表面又は全面に光触媒皮膜６をコーティングし、浴湯中でこの表面に照明などの光照射されることによって光触媒作用が起こること、及びこの磁気イオン入浴器では、誘導起電力の発生と相俟って、温泉や公衆浴場、プール等の入浴者から湯中へ移動し湯水中で繁殖する菌や温泉湯中のレジオネラ菌などの殺菌や除菌ができる。
【００１３】
さらにこの入浴器を用いることにより浴湯中のイオン移動及びイオンの活性化が起こり、又マイナスイオンが増加すること、及び循環型公衆浴場などの繰り返し使用の循環湯や溜め置き湯のぬめり防止、腐りの防止、浴槽壁の汚れ防止、ボイラー内の汚れと酸化防止、湯質の劣化防止、浴湯水の小クラスター化が起こる。
【００１４】
図４は、球型フロートタイプの入浴器の正面図であり、芳香を発生する木質材等を用いた球体７の表面に複数個の磁石３を埋め込み、又球体内部に芳香剤６を封入し栓４をして徐々に滲み出してくるようにし、入浴者のリラックス感を誘い出す。さらに球体表面に光触媒皮膜６を形成し、光触媒機能をもたせて成る磁気イオン入浴器を示す別実施例である。  
【００１５】
図５は、球型フロートタイプの入浴器を浴湯の湯面に浮遊させ、湯面の浴湯波動により球体７が回転し易く、先にのべたと同様ファラデーの法則とフレミングの法則がなり立ち、その結果、除菌や浴槽の環境改善及び湯質改善ができる。
浴湯中で動き回ることにより各磁石３の近傍において磁束Ｂと湯動と球体７の回転運動Ｂにより電流Ｉが流れ、誘導起電力が発生すること、及び光触媒機能と相俟って上述の湯質改善ができる磁気イオン入浴器の実施一例である。
【００１６】
図６は、２球体連結した入浴器の縦断面を示した一実施例である。図において芳香木質材等を用いた２つの球体７の中心部に円筒穴を設け、この穴内部に芳香剤５を封入し、封入栓を兼用した連結棒８で二つの球体を連結し、各球体表面には複数個の磁石３を固定し、さらに光触媒皮膜６を形成してなる入浴器の別実施例である。
又図６では、図１〜５で述べたように、浴湯波動により誘導起電力の発生によるイオンの活性化機能、芳香リラックス感触機能、光触媒機能を合わせ持つ遊び心も兼ね備えた磁気イオン入浴器の実施一例である。
【００１７】
図１〜６で述べた形状以外の多角形でもよく、又各機能の単体のものも提供できる。さらに浴湯中に沈めて用いることもできる球体、又は多角形の各種磁石の表面に光触媒機能を持たせた磁気イオン入浴器も提供できる。
【産業上の利用可能性】
【００１８】
温泉、プール、公衆浴場、家庭風呂、循環式風呂など湯水質改善、ぬめりや汚れ防止、雑菌の繁殖の抑制、レジオネラ菌などの殺菌や除菌、浴槽面やボイラー内のクリーニングなど、さらに流動食品などの衛生管理面にも応用できる。
【図面の簡単な説明】
【００１９】
【図１】円板形磁気イオン入浴器の横断面を示した説明図である。（実施例１）
【図２】円板形磁気イオン入浴器の縦横断面を示した説明図である。
【図３】円板形磁気イオン入浴器を浴湯面に浮遊させた実施例の説明図である。                （実施利用例１）
【図４】球体磁気イオン入浴器の部分断面を含む外観を示した説明図である。                  （実施例２）
【図５】球体磁気イオン入浴器を浴湯面に浮遊させた実施例の説明図である。                  （実施利用例２）
【図６】連結球体形磁気イオン入浴器の縦断面を示した説明図である。（実施例３）
【符号の説明】
【００２０】
１  円板
２  軸
３  磁石
４  栓
５  芳香剤
６  光触媒皮膜
７  球体
８  連結棒  
【図１】
0003138438.tif 000003
【図２】
0003138438.tif 000004
【図３】
0003138438.tif 000005
【図４】
0003138438.tif 000006
【図５】
0003138438.tif 000007
【図６】
0003138438.tif 000008
【手続補正書】
【提出日】平成19年11月5日(2007.11.5)
【手続補正１】
【補正対象書類名】実用新案登録請求の範囲
【補正対象項目名】全文
【補正方法】変更
【補正の内容】
【実用新案登録請求の範囲】
【請求項１】
円板型、球状型、球状連結型や多角形状型等のフロートタイプ入浴器表面に磁石を配置・固定してなる磁気イオン入浴器。
【請求項２】
請求項１に記載のフロートタイプ入浴器を桧などの芳香性木材等を用い、フロート円板の垂直中心に木質等の軸を貫通して挿入し、一例として駒形の木質等の軸の片端又は両端に穴を設け芳香剤を注入して木質内より徐徐に芳香成分が滲みださせる構造としたことを特徴とする磁気イオン入浴器。
【請求項３】
請求項１又は２に記載のフロートタイプ入浴器表面に浴湯中のレジオネラ菌などの殺菌や除菌できる光触媒剤をコーティングしてなることを特徴とする磁気イオン入浴器。
【請求項４】
フェライトや希土類等の球形等の立体形磁石材の表面に光触媒をコーティングした光触媒磁石の集団を浴槽の流入出口に装着してなる磁気イオン入浴器。